(57)【特許請求の範囲】
【請求項１】
便器を洗浄する洗浄水を貯える洗浄水タンクの排水弁装置であって、
洗浄水タンクの底面に配置された排水口を開閉する弁体と、
この弁体の動きを制御する制御筒であって、洗浄水を貯水する貯水領域を形成する貯水部を備え、この貯水部に貯水された洗浄水を所定の流量で上記洗浄水タンク内へ流出させる開口が形成された上記制御筒と、
上記弁体に係合可能に取り付けられて上記制御筒の貯水部内の水位の低下により上記弁体との係合が解除されると下降するように上記制御筒の貯水部内に設けられたフロートと、
上記弁体が上記排水口を開放した後、上記制御筒の貯水部内の水位が下降して上記フロートの自重と浮力との釣り合い位置を通過したとき、上記フロートが上記制御筒の貯水部内の水位と共に下降して上記フロートと上記弁体との係合が解除されて上記弁体の閉弁動作が開始されるように、上記貯水部内の貯水領域における上記釣り合い位置よりも上方の所定高さ位置から下方の貯水領域を急激に減少させる貯水領域減少手段と、
を有することを特徴とする排水弁装置。
【請求項２】
上記貯水領域減少手段は、上記制御筒の貯水部内の底部の一部を底上げするように形成された段部であり、この段部の上面は、上記貯水部の底上げ面を形成し、上記釣り合い位置よりも上方に位置している請求項１記載の排水弁装置。
【請求項３】
上記制御筒の貯水部に形成された開口は、上記貯水部の下方位置にほぼ水平方向にスリット状に延びるように形成され、更に、上記制御筒の開口の一部と連通する所定幅の連通口が形成され且つ上記制御筒の開口の外側に取り付けられる遮蔽部材を有し、この遮蔽部材は、上記制御筒への取付位置を変更することにより、上記制御筒の開口と上記連通口との連通面積を調整して上記制御筒の貯水部から上記洗浄水タンク内へ流出させる洗浄水量を調整可能である請求項１又は２に記載の排水弁装置。
【請求項４】
請求項１乃至３の何れか１項に記載の排水弁装置を備えたことを特徴とする洗浄水タンク装置。
【請求項５】
上記請求項４記載の洗浄水タンク装置を備えたことを特徴とする水洗大便器。
【発明の詳細な説明】
【技術分野】
【０００１】
本発明は、排水弁装置、この排水弁装置を備えた洗浄水タンク装置、及び、この洗浄水タンク装置を備えた水洗大便器に係り、特に、便器を洗浄する洗浄水を貯える洗浄水タンクの排水弁装置、この排水弁装置を備えた洗浄水タンク装置、及び、この洗浄水タンク装置を備えた水洗大便器に関する。
【背景技術】
【０００２】
従来から、便器を洗浄する洗浄水を貯える洗浄水タンクの排水弁装置として、例えば、特許文献１に記載されているように、小さな流量で洗浄水を流出させる小穴が形成された貯水部と、この貯水部内の水位の低下に伴って下降するフロートとを備えた排水弁装置が知られている。
このような排水弁装置では、フロートと連結した水平軸部材が排水弁装置本体の突起と係合することにより排水弁の開弁状態が維持されている一方、フロートが下降し、このフロートと連結した水平軸部材と排水弁装置本体の突起との係合が解除されることにより、排水弁の閉弁動作が開始するようになっている。
【先行技術文献】
【特許文献】
【０００３】
【特許文献１】欧州特許第１６５０３６６号明細書
【発明の概要】
【発明が解決しようとする課題】
【０００４】
このような特許文献１に記載されている従来の排水弁装置においては、開弁状態の排水弁が閉弁動作を開始するまでに、貯水部内の水位が下降する速度が極めて遅い速度に設定されているため、洗浄水タンクから便器へ十分な量の洗浄水を供給できるようになっている。
しかしながら、貯水部内の水位が遅い速度で下降する程、その分フロートもゆっくり下降することになる。特に、貯水部の小穴の開口面積を極めて小さく設定した場合には、この小穴からより小さな流量で洗浄水を流出させる程、貯水部内の水位もフロートの自重と浮力との釣り合い位置をゆっくりと通過することになるため、フロートは、その自重と浮力との釣り合い位置においても、簡単に下降し難くなり、フロートと連結した水平軸部材と排水弁装置本体の突起との係合が摩擦等によって簡単に外れ難くなるという問題がある。
また、このようにフロートと連結した水平軸部材と排水弁装置本体の突起との係合が外れにくくなると、この係合が外れるタイミングにもばらつきが生じ易く、洗浄水タンクから便器に排出される洗浄水量や排水終了時の洗浄水タンク内の死水水位（デッドウォーターライン（ＤＷＬ））もばらつくといった問題がある。
【０００５】
そこで、本発明は、上述した従来技術の問題点を解決するためになされたものであり、洗浄水タンクの排水口から便器に供給される洗浄水量のばらつきを防ぐことができる排水弁装置を提供することを目的としている。
【課題を解決するための手段】
【０００６】
上記の目的を達成するために、本発明は、便器を洗浄する洗浄水を貯える洗浄水タンクの排水弁装置であって、洗浄水タンクの底面に配置された排水口を開閉する弁体と、この弁体の動きを制御する制御筒であって、洗浄水を貯水する貯水領域を形成する貯水部を備え、この貯水部に貯水された洗浄水を所定の流量で上記洗浄水タンク内へ流出させる開口が形成された上記制御筒と、上記弁体に係合可能に取り付けられて上記制御筒の貯水部内の水位の低下により上記弁体との係合が解除されると下降するように上記制御筒の貯水部内に設けられたフロートと、上記弁体が上記排水口を開放した後、上記制御筒の貯水部内の水位が下降して上記フロートの自重と浮力との釣り合い位置を通過したとき、上記フロートが上記制御筒の貯水部内の水位と共に下降して上記フロートと上記弁体との係合が解除されて上記弁体の閉弁動作が開始されるように、上記貯水部内の貯水領域における上記釣り合い位置よりも上方の所定高さ位置から下方の貯水領域を急激に減少させる貯水領域減少手段と、を有することを特徴としている。
このように構成された本発明においては、制御筒の貯水部内の貯水領域において、貯水領域減少手段により、フロートの釣り合い位置（フロートの自重と浮力との釣り合い位置）よりも上方の所定高さ位置から下方の貯水領域が急激に減少するため、弁体が排水口を開放した後、制御筒の貯水部内の水位が下降してフロートの釣り合い位置を通過する際に、制御筒の貯水部内の水位の下降速度を早めることができる。この結果、制御筒の貯水部内の水位がフロートの釣り合い位置を通過した際に、フロートと弁体との係合を滑らかに解除し、フロートの下降を滑らかに開始することができ、弁体を滑らかに閉弁させることができる。これらの結果、洗浄水タンクの排水口から排出される洗浄水量のばらつきを防ぐことができる。
【０００７】
本発明において、好ましくは、上記貯水領域減少手段は、上記制御筒の貯水部内の底部の一部を底上げするように形成された段部であり、この段部の上面は、上記貯水部の底上げ面を形成し、上記釣り合い位置よりも上方に位置している。
このように構成された本発明においては、制御筒の貯水部内の底部の一部を底上げするように形成された段部を制御筒の貯水部の貯水領域減少手段とすることにより、弁体が排水口を開放した後、制御筒の貯水部内の水位が下降し、貯水部内のフロートの釣り合い位置（フロートの自重と浮力との釣り合い位置）よりも上方に位置する貯水部の段部の上面（底上げ面）を通過すると、制御筒の貯水部内の貯水領域が急激に減少するため、貯水部内の水位の下降速度を早めることができる。この結果、貯水部内の水位がさらに下降してフロートの釣り合い位置を通過するときの水位の下降速度を早めることもできるため、フロートと弁体との係合を滑らかに解除してフロートの下降を滑らかに開始することができ、弁体を滑らかに閉弁させることができる。これらの結果、洗浄水タンクの排水口から排出される洗浄水量のばらつきを防ぐことができる。
【０００８】
本発明において、好ましくは、上記制御筒の貯水部に形成された開口は、上記貯水部の下方位置にほぼ水平方向にスリット状に延びるように形成され、更に、上記制御筒の開口の一部と連通する所定幅の連通口が形成され且つ上記制御筒の開口の外側に取り付けられる遮蔽部材を有し、この遮蔽部材は、上記制御筒への取付位置を変更することにより、上記制御筒の開口と上記連通口との連通面積を調整して上記制御筒の貯水部から上記洗浄水タンク内へ流出させる洗浄水量を調整可能である。
このように構成された本発明においては、制御筒の貯水部に形成された開口が貯水部の下方位置にほぼ水平方向にスリット状に延びるように形成されているため、遮蔽部材の取付位置を変更して制御筒の開口と遮蔽部材の連通口との連通面積を調整する際に、制御筒の開口から遮蔽部材の連通口を通過するときの上下方向の水圧のばらつきの影響を抑え、制御筒の開口から流出させる洗浄水量のばらつきを抑えることができる。これらの結果、洗浄水タンクの排水口から排出される洗浄水量の総量がばらつくことを防ぐことができる。
【０００９】
つぎに、本発明は、上記排水弁装置を備えたことを特徴とする洗浄水タンク装置である。
このように構成された本発明においては、便器を洗浄する洗浄水量のばらつきを防ぐことができる洗浄水タンク装置を提供することができる。
【００１０】
つぎに、本発明は、上記洗浄水タンク装置を備えたことを特徴とする水洗大便器である。
このように構成された本発明においては、便器を洗浄する洗浄水量のばらつきを防ぐことができる水洗大便器を提供することができる。
【発明の効果】
【００１１】
本発明の排水弁装置によれば、洗浄水タンクの排水口から便器に供給される洗浄水量のばらつきを防ぐことができる。
【図面の簡単な説明】
【００１２】
【図１】本発明の一実施形態による排水弁装置を備えた洗浄水タンク装置が適用された水洗大便器において、便座、便蓋及び洗浄水タンク装置の蓋体を取り外した状態を示す斜視図である。
【図２】本発明の一実施形態による排水弁装置を備えた洗浄水タンク装置の内部構造を前方斜め上方から見た斜視図である。
【図３】本発明の一実施形態による排水弁装置を示す分解正面図である。
【図４】本発明の一実施形態による排水弁装置を示す左側面図である。
【図５】図４のＶ−Ｖ線に沿って見た断面図であり、本発明の一実施形態による排水弁装置の小洗浄モード及び大洗浄モードにおける排水開始前の状態を示す。
【図６】図４のＶ−Ｖ線に沿って見た断面図であり、本発明の一実施形態による排水弁装置の小洗浄モードにおける開弁時の状態を示す。
【図７】図４のＶ−Ｖ線に沿って見た断面図であり、本発明の一実施形態による排水弁装置の大洗浄モードにおける開弁時の状態を示す。
【図８】図４のＶ−Ｖ線に沿って見た断面図であり、本発明の一実施形態による排水弁装置の小洗浄モードにおける排水途中の状態を示す。
【図９】図４のＶ−Ｖ線に沿って見た断面図であり、本発明の一実施形態による排水弁装置の小洗浄モードにおける排水終了時の状態を示す。
【図１０】本発明の一実施形態による排水弁装置の制御筒を示す斜視図である。
【図１１】本発明の一実施形態による排水弁装置の制御筒を示す左側面図である。
【図１２】図１１のＸＩＩ−ＸＩＩ線に沿って見た断面図である。
【図１３】図４のＶ−Ｖ線に沿って見た断面図であり、本発明の一実施形態による排水弁装置の大洗浄モードにおける排水途中の第１の状態を示す。
【図１４】図４のＸＩＶ−ＸＩＶ線に沿って見た断面図であり、本発明の一実施形態による排水弁装置の大洗浄モードにおける排水途中の第１の状態を示す。
【図１５】図４のＶ−Ｖ線に沿って見た断面図であり、本発明の一実施形態による排水弁装置の大洗浄モードにおける排水途中の第２の状態を示す。
【図１６】図４のＸＩＶ−ＸＩＶ線に沿って見た断面図であり、本発明の一実施形態による排水弁装置の大洗浄モードにおける排水途中の第２の状態を示す。
【図１７】図４のＶ−Ｖ線に沿って見た断面図であり、本発明の一実施形態による排水弁装置の大洗浄モードにおける排水途中の第３の状態を示す。
【図１８】図４のＸＩＶ−ＸＩＶ線に沿って見た断面図であり、本発明の一実施形態による排水弁装置の大洗浄モードにおける排水途中の第３の状態を示す。
【図１９】図４のＶ−Ｖ線に沿って見た断面図であり、本発明の一実施形態による排水弁装置の大洗浄モードにおける排水終了時の状態を示す。
【図２０】図４のＸＩＶ−ＸＩＶ線に沿って見た断面図であり、本発明の一実施形態による排水弁装置の大洗浄モードにおける排水終了時の状態を示す。
【発明を実施するための形態】
【００１３】
つぎに、添付図面により、本発明の一実施形態による排水弁装置、この排水弁装置を備えた洗浄水タンク装置、及び、この洗浄水タンク装置を備えた水洗大便器について説明する。
まず、図１により、本発明の一実施形態による排水弁装置を備えた洗浄水タンク装置が適用された水洗便器を説明する。
図１は、本発明の一実施形態による排水弁装置を備えた洗浄水タンク装置が適用された水洗大便器において、便座、便蓋及び洗浄水タンク装置の蓋体を取り外した状態を示す斜視図である。
【００１４】
図１に示すように、符号１は、サイホン作用を利用してボウル部内の汚物を吸い込んで排水トラップ管路から一気に外部に排出する、いわゆる、サイホン式の水洗大便器であり、この水洗大便器１は、陶器製の便器本体２を備え、この便器本体２には、ボウル部４と、このボウル部４の下部と連通するトラップ管路６がそれぞれ形成されている。
便器本体２のボウル部４の上縁部には、内側にオーバーハングしたリム８と、便器本体２の後方側の内部に形成される導水路（図示せず）から供給される洗浄水を吐水する第１吐水口１０が形成され、この第１吐水口１０から吐水された洗浄水は、旋回しながら下降してボウル部４を洗浄するようになっている。
【００１５】
ボウル部４の下方には、溜水面が鎖線Ｗ０で示された溜水部１２が形成されている。この溜水部１２の下方には、排水トラップ管路６の入口６ａが開口し、この入口６ａから後方の排水トラップ管路６は排水ソケット（図示せず）を介して床下の排出管（図示せず）に接続されている。
また、ボウル部４の溜水面Ｗ０の上方位置には、便器本体２の後方側の内部に形成される導水路（図示せず）から供給される洗浄水を吐水する第２吐水口１４が形成され、この第２吐水口１４から吐水される洗浄水が溜水部１２の溜水を上下方向に旋回させる旋回流を生じさせるようになっている。
【００１６】
便器本体２の後方側の上面には、便器本体２に供給する洗浄水を貯水する洗浄水タンク装置１６が設けられている。
なお、本実施形態では、上述したサイホン式の水洗大便器に洗浄水タンク装置１６を適用した例について説明するが、このようなサイホン式の水洗大便器に限定されず、ボウル部内の水の落差による流水作用で汚物を押し流す、いわゆる、洗い落し式の水洗大便器等の他のタイプの水洗便器にも適用可能である。
【００１７】
つぎに、図２により、洗浄水タンク装置１６の内部構造について説明する。
図２は、本発明の一実施形態による排水弁装置を備えた洗浄水タンク装置の内部構造を前方斜め上方から見た斜視図である。
図２に示すように、洗浄水タンク装置１６は、水洗大便器１を洗浄する洗浄水を貯水する貯水タンク１８を備え、この貯水タンク１８の底部には、便器本体２の導水路（図示せず）と連通する排水口２０が形成され、貯水タンク１８内の洗浄水が便器本体２の導水路（図示せず）へと供給されるようになっている。また、貯水タンク１８は、便器の種類に応じて、貯水する洗浄水の量が異なっている。
【００１８】
図２に示すように、洗浄水タンク装置１６の貯水タンク１８内には、この貯水タンク１８内に洗浄水を供給する給水装置２２と、貯水タンク１８に貯えられた洗浄水について排水口２０を開放して便器本体２の導水路（図示せず）に流出させる排水弁装置２４（詳細は後述する）が設けられている。
【００１９】
給水装置２２は、外部の給水源（図示せず）に接続され貯水タンク１８の底部から上方に延びる給水管２６と、この給水管２６の上端部に取り付けられ、給水管２６から給水される洗浄水の貯水タンク１８内への吐水と止水を切り替える給水バルブ２８と、貯水タンク１８内の水位の変動に応じて上下動して給水バルブ２８による吐水と止水を切り替えるフロート３０とを備えている。
【００２０】
給水管２６の外周側下端部には、吐水口３２が開口し、給水バルブ２８からの洗浄水がこの吐水口３２から貯水タンク１８内に吐水されるようになっている。
給水装置２２は、更に、給水バルブ２８に接続されたリフィール管３４を備え、このリフィール管３４の下流端部は、後述する排水弁装置２４のオーバーフロー管３６の上端開口の上方近傍に位置するように、リフィール管３４の一部がオーバーフロー管３６又は貯水タンク１８内の所定箇所に固定されている。
【００２１】
給水装置２２においては、後述する排水弁装置２４により、貯水タンク１８内の洗浄水が便器に排水されると、洗浄水の水位が低下してフロート３０が下降し、それにより給水バルブ２８が開き、吐水口３２からの吐水が開始し、洗浄水タンク装置１６の外部の給水源（図示せず）から貯水タンク１８内への吐水が開始されるようになっている。
さらに、吐水が継続されて貯水タンク１８内の水位が上昇すると、フロート３０が上昇し、それにより給水バルブ２８が閉じ、吐水口３２からの吐水が止水される。これにより、貯水タンク１８内の洗浄水の水位が満水時の所定水位に維持されるようになっている。
【００２２】
つぎに、図１〜図９を参照して、本発明の一実施形態による排水弁装置２４の詳細について説明する。
図３は本発明の一実施形態による排水弁装置を示す分解正面図であり、図４は本発明の一実施形態による排水弁装置を示す左側面図である。つぎに、図５は、図４のＶ−Ｖ線に沿って見た断面図であり、本発明の一実施形態による排水弁装置の小洗浄モード及び大洗浄モードにおける排水開始前の状態を示す。また、図６及び図７は、図４のＶ−Ｖ線に沿って見た断面図であり、本発明の一実施形態による排水弁装置の小洗浄モード及び大洗浄モードにおける開弁時の状態をそれぞれ示す。さらに、図８及び図９は、図４のＶ−Ｖ線に沿って見た断面図であり、本発明の一実施形態による排水弁装置の小洗浄モードにおける排水途中の状態及び排水終了時の状態をそれぞれ示す。ここで、図６〜図８においては、洗浄水の流れを矢印で概略的に示している。
【００２３】
排水弁装置２４は、図３及び図４に示すように、貯水タンク１８の底面に取り付けられ且つ便器本体２の導水路（図示せず）に連通する排水口２０を形成する排水口ユニット３８と、この排水口ユニット３８の上端に取り付けられた排水弁ユニット４０を備えている。
【００２４】
排水弁装置２４の排水口ユニット３８は、貯水タンク１８の底面１８ａの所定位置に取り付けられて排水口２０を形成する排水口形成部材４２を備えている。
この排水口形成部材４２の下端部は、貯水タンク１８の底面１８ａを貫き、シール部材４４を介して締結部材４６によって締結され、排水口形成部材４２が貯水タンク１８の底面１８ａに固定されている。
【００２５】
また、排水口形成部材４２の外周の一部には、オーバーフロー管３６が取り付けられるオーバーフロー管取付部４８が設けられ、オーバーフロー管３６がオーバーフロー管取付部４８を介して排水口形成部材４２の内部の排水口２０と連通するようになっている。
【００２６】
さらに、排水口形成部材４２は、排水口２０の上縁に沿って全周に亘って形成され且つ上方に突出する弁座５０を備え、この弁座５０と排水弁ユニット４０の弁体５２が当接することにより、排水口２０が閉鎖されるようになっている。
また、排水口形成部材４２は、弁座５０から外側に向かって所定間隔を置いた位置から排水口形成部材４２の上端部５４まで上下方向に延びる複数の支柱部５６を備え、これらの支柱部５６は、周方向に沿って所定間隔を置いて配置されており、隣り合う支柱部５６同士の間に排水弁装置２４の外側の洗浄水を排水口２０へ流入させるための複数の連通口５８を形成している。
【００２７】
つぎに、図３〜図５に示すように、排水弁装置２４の排水弁ユニット４０は、弁体５２と、この弁体５２を保持する弁体保持部材６０と、この弁体保持部材６０に下端部が取り付けられて上下方向に延びる樹脂製の主軸部材６２と、排水口ユニット３８の排水口形成部材４２の上端部５４に取り付けられて弁体５２の動きを制御する内側制御筒部材６４と、流量調整用の開口６４ａが形成された内側制御筒部材６４の側周壁部６４ｂの外側に取り付けられる遮蔽部材６６と、大洗浄モードにおける閉弁動作を開始させる樹脂製の大洗浄用フロート部材６８と、小洗浄モードにおける閉弁動作を開始させる樹脂製の小洗浄用フロート部材７０及び樹脂製のカム部材７２と、これらの部材７０，７２を支持する樹脂製の支持部材７４と、これらの部材６０〜７４を外側から取り囲む外側制御筒部材７６と、主軸部材６２の上端部６２ａに取り付けられて主軸部材６２の引き上げ操作による弁体５２の開弁操作を操作する操作ワイヤ７８と、外側制御筒部材７６を上方から保持すると共に操作ワイヤ７８の上下動をガイドするガイド部材８０と、を備えている。
【００２８】
弁体５２は、シートパッキン等のシール部材からなり、図３及び図５に示すように、主軸部材６２の下端部に取り付けられた弁体保持部材６０の上側保持部６０ａと下側保持部６０ｂとの間に嵌め込まれて固着されている。
また、主軸部材６２は、内側制御筒部材６４のほぼ中央部に形成されたガイド穴６４ｃに挿入されて軸方向（上下方向）に摺動可能に取り付けられ、弁体５２は、この主軸部材６２と共に上下動し、排水口２０を開閉する排水弁として機能するようになっている。
【００２９】
つぎに、図２、図３、及び図５〜図７に示すように、操作ワイヤ７８は、ガイド部材８０のガイド孔８０ａを通過した一端部が主軸部材６２の上端部６２ａに取り付けられ、他端部が貯水タンク１８の内部に取り付けられたワイヤ巻取り装置８２に取り付けられている。このワイヤ巻取り装置８２は、貯水タンク１８の外部に取り付けられた操作レバー８４と連結されており、この操作レバー８４を大洗浄又は小洗浄の所定の洗浄モードを実行させる方向に回動操作することにより、この操作レバー８４の回動と連動してワイヤ巻取り装置８２が作動し、操作ワイヤ７８がワイヤ巻取り装置８２によって巻き取られ、この巻き取られる操作ワイヤ７８により、排水弁ユニット４０の主軸部材６２が引き上げられ、この主軸部材６２と共に弁体保持部材６０及び弁体５２が上昇するようになっている。
【００３０】
例えば、操作レバー８４を所定の方向（小洗浄モードを実行する方向）に回動操作すると、ワイヤ巻取り装置８２が作動し、操作ワイヤ７８が大洗浄モードの場合の最大巻き取り量よりも少ない巻き取り量で巻き取られ、排水弁ユニット４０の主軸部材６２及び弁体保持部材６０がそれぞれの最高高さ位置よりも低い所定の高さ位置まで引き上げられるようになっている。このとき、弁座５０に対する弁体５２の上昇高さ（ストローク）ＨがＨ１となり、洗浄水タンク装置１６の排水弁装置２４による水洗大便器１の便器本体２への小洗浄モードの排水が開始されるようになっている（図６参照）。
一方、操作レバー８４を所定の方向とは反対方向（大洗浄モードを実行する方向）に回動操作すると、ワイヤ巻取り装置８２が作動し、操作ワイヤ７８が所定の最大量の巻き取り量で巻き取られ、排水弁ユニット４０の主軸部材６２及び弁体保持部材６０がそれぞれの最高高さ位置まで引き上げられるようになっている。このとき、弁座５０に対する弁体５２の上昇高さ（ストローク）Ｈが最大高さ（最大ストローク）Ｈ２となり（Ｈ２＞Ｈ１）、洗浄水タンク装置１６の排水弁装置２４による水洗大便器１の便器本体２への大洗浄モードの排水が開始されるようになっている（図７参照）。
【００３１】
なお、本実施形態では、一例として、操作レバー８４については、使用者が操作レバー８４を直接回転操作してワイヤ巻取り装置８２を作動させる手動式の操作形態について説明するが、このような形態に限定されず、操作レバー８４を回動させるためのモータ等の駆動手段を設け、外部に設定された操作ボタン（図示せず）又は人感センサー（図示せず）からの指令信号によって駆動手段の作動を自動的に制御するような操作形態にしてもよい。
【００３２】
つぎに、図３及び図５〜図９に示すように、支持部材７４の軸方向の中間部分には、小洗浄用フロート部材７０が取り付けられており、支持部材７４への小洗浄用フロート部材７０の取付位置が軸方向（上下方向）に変更可能となっている。
また、支持部材７４の下端部は、詳細は後述する内側制御筒部材６４の上下方向に貫く支持部材用取付穴６４ｄに挿入され、支持部材７４の上端部は、ガイド部材８０の支持部材用取付穴８０ｂに挿入されており、支持部材７４がこれらの支持部材用取付穴６４ｄ，８０ｂの中で上下方向に摺動可能に保持されている。
【００３３】
カム部材７２は、支持部材７４のヒンジ結合部７４ａに回動可能に取り付けられるヒンジ部７２ａと、主軸部材６２の上端部６２ａから下方の所定位置に外方に突出するように形成された係合突起６２ｂと係合可能な係合凹部７２ｂを備えている。
【００３４】
大洗浄用フロート部材６８は、詳細は後述する内側制御筒部材６４の貯水部８６内に収容されるフロート本体部６８ａと、このフロート本体部６８ａの両側の上端から水平方向に延びる一対のアーム部６８ｂと、これらのアーム部６８ｂのそれぞれの先端部から外側に突出するように形成され且つ内側制御筒部材６４の上端部の一対のヒンジ結合孔６４ｅに回動可能に取り付けられる一対のヒンジ突起部６８ｃと、アーム部６８ｂのそれぞれの先端部から下方に所定長さ延びた先端部に形成され且つ主軸部材６２の係合突起６２ｂから軸方向下方の所定位置に外方に突出する係合突起６２ｃと係合可能な係合凹部６８ｄを備えている。
【００３５】
図３〜図９に示すように、外側制御筒部材７６の側周面７６ａには、上下方向に延びる複数のスリット穴７６ｂが形成されている。これらの外側制御筒部材７６のスリット穴７６ｂの下端よりも上方に且つ外側制御筒部材７６の外側に貯水されている貯水タンク１８内の洗浄水は、スリット穴７６ｂを経て外側制御筒部材７６の内部に流入することができるようになっている。
【００３６】
また、図５に示すように、排水弁装置２４の小洗浄モード及び大洗浄モードにおける排水開始前の状態では、弁体５２が弁座５０に当接して排水口２０が閉止され、貯水タンク１８内の水位が満水時の止水水位Ｗｆとなり、外側制御筒部材７６の外側に貯水されている貯水タンク１８内の洗浄水がスリット穴７６ｂを経て外側制御筒部材７６の内部に流入し、大洗浄用フロート部材６８及び小洗浄用フロート部材７０が水没している状態となっている。
また、カム部材７２の係合凹部７２ｂは主軸部材６２の係合突起６２ｂよりも上方に位置し、両者７２ｂ，６２ｂが係合していない状態となっており、大洗浄用フロート部材６８の係合凹部６８ｄも主軸部材６２の係合突起６２ｃよりも上方に位置しており、両者６８ｄ，６２ｃが係合していない状態となっている。
【００３７】
つぎに、図６に示すように、排水弁装置２４の小洗浄モードにおける開弁時の状態では、弁体５２が弁座５０に対してストロークＨ１で上昇して排水口２０が開放されており、外側制御筒部材７６の外側に貯水されている貯水タンク１８内の洗浄水と外側制御筒部材７６の内部の洗浄水が、外側制御筒部材７６のスリット穴７６ｂ及び排水口形成部材４２の連通口５８によって連通しているため、貯水タンク１８内の水位と外側制御筒部材７６の内部の水位が共に満水時の止水水位Ｗｆよりも低い水位Ｗ１となり、大洗浄用フロート部材６８及び小洗浄用フロート部材７０が水没している状態となっている。
また、支持部材７４は小洗浄用フロート部材７０の浮力により上昇した状態となっている。
さらに、弁体５２と共に主軸部材６２とその係合突起６２ｂについてもストロークＨ１で上昇しているため、カム部材７２の係合凹部７２ｂが主軸部材６２の係合突起６２ｂと係合している状態となっており、主軸部材６２及び弁体５２の下降動作（閉弁動作）が拘束された状態となっている。一方、大洗浄用フロート部材６８の係合凹部６８ｄは、主軸部材６２の係合突起６２ｃよりも上方に位置しており、両者６８ｄ，６２ｃが係合していない状態となっている。
【００３８】
一方、図７に示すように、排水弁装置２４の大洗浄モードにおける開弁時の状態では、弁体５２が弁座５０に対して最大ストロークＨ２で上昇して排水口２０が開放されており、貯水タンク１８内の水位が満水時の止水水位Ｗｆよりも低い水位Ｗ２となり、外側制御筒部材７６の外側に貯水されている貯水タンク１８内の洗浄水と外側制御筒部材７６の内部の洗浄水が、外側制御筒部材７６のスリット穴７６ｂ及び排水口形成部材４２の連通口５８によって連通しているため、大洗浄用フロート部材６８は水没しているが、小洗浄用フロート部材７０とカム部材７２のそれぞれの上方部分は水位Ｗ２よりも上方に表出している状態となっている。
また、弁体５２と共に主軸部材６２とその係合突起６２ｂについても最大ストロークＨ２で上昇しているため、カム部材７２の係合凹部７２ｂが主軸部材６２の係合突起６２ｂの下方に位置し、両者７２ｂ，６２ｂが係合していない状態となっている。しかしながら、大洗浄用フロート部材６８の係合凹部６８ｄは、主軸部材６２の係合突起６２ｃと係合している状態となっており、主軸部材６２及び弁体５２の下降動作（閉弁動作）が拘束された状態となっている。
【００３９】
つぎに、図８に示すように、排水弁装置２４の小洗浄モードにおける排水途中の状態では、排水口２０から便器本体２への排水に伴って、貯水タンク１８内の水位と外側制御筒部材７６の内部の水位が、図６に示す水位Ｗ１よりも低い水位Ｗ３まで低下するため、この水位の低下に連動して小洗浄用フロート部材７０の浮力が減少し、小洗浄用フロート部材７０と支持部材７４が下降するようになっている。
また、支持部材７４が下降すると、これに連動してカム部材７２が、その係合凹部７２ｂと主軸部材６２の係合突起６２ｂとの係合を解除する方向（図８の上方）に向ってヒンジ部７２ａを中心に回動するようになっている。さらに、カム部材７２の係合凹部７２ｂと主軸部材６２の係合突起６２ｂとの係合が解除されると、主軸部材６２及び弁体５２が水位の低下と共に下降し、排水弁装置２４の小洗浄モードにおける閉弁動作が開始されるようになっている。
なお、大洗浄用フロート部材６８の係合凹部６８ｄは、主軸部材６２の係合突起６２ｃよりも上方に位置しており、両者６８ｄ，６２ｃが係合していない状態となっているため、主軸部材６２及び弁体５２の下降による閉弁動作が妨げられないようになっている。
【００４０】
つぎに、図８において主軸部材６２及び弁体５２が水位の低下と共にさらに下降すると、図９に示すように、弁体５２が弁座５０に当接し、排水口２０が閉止され、排水弁装置２４の小洗浄モードにおける排水が終了するようになっている。また、排水終了時の状態では、貯水タンク１８内の水位と外側制御筒部材７６の内部の水位が、図８に示す水位Ｗ３よりも低い水位Ｗ４まで低下し、死水水位（ＤＷＬ）となるようになっている。
【００４１】
つぎに、図１０〜図２０を参照して、内側制御筒部材６４の詳細について説明する。
図１０は本発明の一実施形態による排水弁装置の制御筒を示す斜視図であり、図１１は本発明の一実施形態による排水弁装置の制御筒を示す左側面図であり、図１２は図１１のＸＩＩ−ＸＩＩ線に沿って見た断面図である。
まず、図１３は、図４のＶ−Ｖ線に沿って見た断面図であり、本発明の一実施形態による排水弁装置の大洗浄モードにおける排水途中の第１の状態を示し、図１４は、図４のＸＩＶ−ＸＩＶ線に沿って見た断面図であり、本発明の一実施形態による排水弁装置の大洗浄モードにおける排水途中の第１の状態を示す。
つぎに、図１５は、図４のＶ−Ｖ線に沿って見た断面図であり、本発明の一実施形態による排水弁装置の大洗浄モードにおける排水途中の第２の状態を示し、図１６は、図４のＸＩＶ−ＸＩＶ線に沿って見た断面図であり、本発明の一実施形態による排水弁装置の大洗浄モードにおける排水途中の第２の状態を示す。
また、図１７は、図４のＶ−Ｖ線に沿って見た断面図であり、本発明の一実施形態による排水弁装置の大洗浄モードにおける排水途中の第３の状態を示し、図１８は、図４のＸＩＶ−ＸＩＶ線に沿って見た断面図であり、本発明の一実施形態による排水弁装置の大洗浄モードにおける排水途中の第３の状態を示す。
さらに、図１９は、図４のＶ−Ｖ線に沿って見た断面図であり、本発明の一実施形態による排水弁装置の大洗浄モードにおける排水終了時の状態を示し、図２０は、図４のＸＩＶ−ＸＩＶ線に沿って見た断面図であり、本発明の一実施形態による排水弁装置の大洗浄モードにおける排水終了時の状態を示す。
ここで、図１３〜図２０においては、洗浄水の流れを矢印で概略的に示している。
【００４２】
まず、図１０及び図１２に示すように、内側制御筒部材６４の貯水部８６は、その貯水領域を急激に減少させるための手段（以下「貯水領域減少手段」）として、貯水部８６内の底面８８の一部を底上げするように形成された段部９０を備え、この段部９０は、貯水部８６内の底面８８から上方に延びるように形成された内壁面９０ａを備え、この段部９０の内壁面９０ａの上端からほぼ水平方向に延びるように形成された上面が底上げ面９０ｂを形成している。
【００４３】
つぎに、内側制御筒部材６４の貯水部８６内に形成されて洗浄水が貯水される貯水領域Ａは、この底上げ面９０ｂから上方に且つ内壁面９０と平行に延びる内壁面９２と、底上げ面９０ｂにおける貯水部８６の中央側に形成される中央側内壁面９４と、この中央側内壁面９４と対向するように形成される外側内壁面９６と、隣り合う２つの中央側内壁面９４同士を接続するように形成される中間内壁面９８と、外側内壁面９６同士を接続するように内側制御筒部材６４の部分的に円筒状に形成された側周壁部６４ｂの内側周壁面１００によって形成されている。
【００４４】
すなわち、図１０、図１２、図１４、図１６、図１８及び図２０に示すように、貯水部８６内に洗浄水が貯水される貯水領域Ａは、貯水部８６内の段部９０の底上げ面９０ｂと同一の平面を境界面Ｐ１として、その境界面Ｐ１よりも上方に形成される貯水部８６の貯水領域を上方貯水領域Ａ１とし、境界面Ｐ１よりも下方に形成される貯水部８６の貯水領域を下方貯水領域Ａ２とすると、上方貯水領域Ａ１内の平面視で見た断面積Ｓ１が、下方貯水領域Ａ２内の平面視で見た断面積Ｓ２よりも大きくなっており、貯水部８６内の洗浄水の水位ｗが下降して境界面Ｐ１を通過する前後で貯水部８６内の貯水量が急激に減少するようになっている。
【００４５】
また、図１２、図１４、図１６、図１８及び図２０に示すように、内側制御筒部材６４の貯水部８６内の底上げ面９０ｂは、貯水部８６内の大洗浄用フロート部材６８の自重Ｇによる下向きの力と浮力Ｆによる上向きの力との釣り合い位置に相当する貯水部８６内の水位ｗｎよりも上方に位置しており、貯水部８６内に貯水された洗浄水による大洗浄用フロート部材６８の上向きの浮力Ｆが大洗浄用フロート部材６８の下向きの自重を上回った場合には、大洗浄用フロート部材６８が内側制御筒部材６４の貯水部８６内で上昇し、大洗浄用フロート部材６８の上向きの浮力Ｆが大洗浄用フロート部材６８の下向きの自重を下回った場合には、大洗浄用フロート部材６８が内側制御筒部材６４の貯水部８６内で下降するようになっている。
より具体的に説明すると、内側制御筒部材６４は、貯水部８６内の水位ｗに応じて大洗浄用フロート部材６８の上下動、すなわち、内側制御筒部材６４のヒンジ結合孔６４ｅにおける大洗浄用フロート部材６８のヒンジ突起部６８ｃ（図３参照）を中心とする回動を制御することができるようになっている。
【００４６】
また、図１０〜図２０に示す内側制御筒部材６４の側周壁部６４ｂの下方の所定位置には、内側制御筒部材６４の貯水部８６内の洗浄水を内側制御筒部材６４の外部の貯水タンク１８内に流出させる流量調整用の開口６４ａが内側制御筒部材６４の側周壁部６４ｂの周方向に沿ってスリット状に延びるように形成されている。この内側制御筒部材６４の流量調整用の開口６４ａは、図１１に示すように、内側制御筒部材６４の側周壁部６４ｂの周方向に沿って矩形的な開口面積で段階的に変化するように形成されている。
なお、本実施形態では、内側制御筒部材６４の流量調整用の開口６４ａの開口形状がその周方向に沿って矩形的に変化し、流量調整用の開口６４ａの開口面積が段階的に変化するような形態について説明するが、このような形態に限定されず、流量調整用の開口６４ａの開口面積を周方向に沿って連続的に変化するような形態であってもよい。
【００４７】
また、図１０及び図１１に示すように、遮蔽部材６６の部分的に円環状の壁部６６ａの内周面には、内側制御筒部材６４の側周壁部６４ｂに形成された突起６４ｆに嵌合可能な複数の嵌合凹部６６ａ（図１０参照）が形成されている。
さらに、遮蔽部材６６の壁部６６ａには、内側制御筒部材６４の側周壁部６４ｂに遮蔽部材６６を取り付けた状態で、内側制御筒部材６４の流量調整用の開口６４ａと連通可能な連通口６６ｃが形成されている。この連通口６６ｃの周方向の長さｄ１は、内側制御筒部材６４の流量調整用の開口６４ａの周方向の長さｄ２よりも短くなっており、連通口６６ｃの縦方向の長さｄ３は、流量調整用の開口６４ａの縦方向の最大長さｄ４とほぼ等しい長さとなっている。
【００４８】
さらに、遮蔽部材６６を内側制御筒部材６４の側周壁部６４ｂに取り付ける際、内側制御筒部材６４の側周壁部６４ｂに対する遮蔽部材６６の取付位置について、図１０及び図１１に示すように、周方向Ｌ又は周方向Ｒにずらすことにより、内側制御筒部材６４の突起６４ｆと嵌合させる遮蔽部材６６の嵌合凹部６６ｂを変更することができ、内側制御筒部材６４の流量調整用の開口６４ａと遮蔽部材６６の連通口６６ｃとが連通する流路の断面積である連通面積Ｓ３（図１１参照）を変更することができるようになっている。
例えば、内側制御筒部材６４の側周壁部６４ｂに対する遮蔽部材６６の取付位置を周方向Ｌにずらす程、内側制御筒部材６４の流量調整用の開口６４ａと遮蔽部材６６の連通口６６ｃとが連通する連通面積Ｓ３が大きくなり、内側制御筒部材６４の側周壁部６４ｂに対する遮蔽部材６６の取付位置を周方向Ｒにずらす程、内側制御筒部材６４の流量調整用の開口６４ａと遮蔽部材６６の連通口６６ｃとが連通する連通面積Ｓ３が小さくなるようになっている。
また、内側制御筒部材６４の流量調整用の開口６４ａと遮蔽部材６６の連通口６６ｃとの連通面積Ｓ３を調整する際に、遮蔽部材６６の連通口６６ｃを内側制御筒部材６４の流量調整用の開口６４ａに対して水平方向にずらすことにより、内側制御筒部材６４の流量調整用の開口６４ａから遮蔽部材６６の連通口６６ｃを通過するときの上下方向の水圧のばらつきの影響を抑え、内側制御筒部材６４の流量調整用の開口６４ａから流出させる洗浄水量のばらつきを抑えることができるようになっている。
【００４９】
また、外側制御筒部材７６の側周面７６ａの下方には、その周方向に沿って開口７６ｃが部分的に形成され、内側制御筒部材６４に外側制御筒部材７６を取り付けた状態では、外側制御筒部材７６の開口７６ｃにより、遮蔽部材６６の連通口６６ｃと貯水タンク１８内とが連通可能となっており、内側制御筒部材６４の側周壁部６４ｂに対する遮蔽部材６６の取付位置を調整して内側制御筒部材６４の開口６４ａと遮蔽部材６６の連通口６６ｃとの連通面積Ｓ３を調整した状態で、内側制御筒部材６４の貯水部８６内の洗浄水を開口６４ａから遮蔽部材６６の連通口６６ｃ及び外側制御筒部材７６の開口７６ｃを経て貯水タンク１８内へ流出させることができるようになっている。
【００５０】
つぎに、図１３及び図１４に示すように、排水弁装置２４の大洗浄モードにおける排水途中の第１の状態では、排水口２０から便器本体２への排水に伴って、貯水タンク１８内の水位と外側制御筒部材７６の内部の水位が、図７に示す水位Ｗ２よりも低い水位Ｗ５まで低下するため、この水位の低下に連動して小洗浄用フロート部材７０の浮力が減少し、小洗浄用フロート部材７０と支持部材７４が下降するようになっている。また、支持部材７４が下降すると、これに連動してカム部材７２が、その係合凹部７２ｂと主軸部材６２の係合突起６２ｂとの係合を解除する方向（図１３及び図１４の上方）に向ってヒンジ部７２ａを中心に回動するようになっている。
しかしながら、大洗浄用フロート部材６８においては、水位Ｗ５が、貯水部８６内の大洗浄用フロート部材６８の自重Ｇと浮力Ｆとの釣り合い位置に相当する貯水部８６内の水位ｗｎよりも上方に位置しており、洗浄水による浮力Ｆが大洗浄用フロート部材６８の自重Ｇを上回り、大洗浄用フロート部材６８の係合凹部６８ｄが、主軸部材６２の係合突起６２ｃと係合している状態となっており、主軸部材６２及び弁体５２の下降動作（閉弁動作）が拘束された状態となっているため、排水弁装置２４の大洗浄モードにおける閉弁動作は開始されないようになっている。
【００５１】
つぎに、図１５及び図１６に示すように、排水弁装置２４の大洗浄モードにおける排水途中の第２の状態では、排水口２０から便器本体２への排水に伴って、貯水タンク１８内における外側制御筒部材７６の外部の水位が、図１３及び図１４に示す水位Ｗ５よりも低い水位Ｗ６まで低下する一方、内側制御筒部材６４の貯水部８６内の水位については、遮蔽部材６６の連通口６６ｃと重なる内側筒部材６４の流調調整用の開口６４ａの大きさ（連通面積Ｓ３）が排水口形成部材４２の連通口５８や排水口２０の大きさ（開口面積）よりも小さくなるため、内側制御筒部材６４の貯水部８６内の水位ｗ１の低下速度ｖ１が、貯水タンク１８内における外側制御筒部材７６の外部の水位Ｗ６の低下速度Ｖ１よりも遅くなるようになっている。
また、大洗浄用フロート部材６８においては、内側制御筒部材６４の貯水部８６内の水位ｗ１が、貯水部８６内の大洗浄用フロート部材６８の自重Ｇと浮力Ｆとの釣り合い位置に相当する貯水部８６内の水位ｗｎよりも上方に位置しており、洗浄水による浮力Ｆが大洗浄用フロート部材６８の自重Ｇを上回り、大洗浄用フロート部材６８の係合凹部６８ｄが、主軸部材６２の係合突起６２ｃと係合している状態となっており、主軸部材６２及び弁体５２の下降動作（閉弁動作）が依然拘束された状態となるようになっている。
【００５２】
つぎに、図１７及び図１８に示すように、排水弁装置２４の大洗浄モードにおける排水途中の第３の状態では、排水口２０から便器本体２への排水に伴って、貯水タンク１８内における外側制御筒部材７６の外部の水位が、図１５及び図１６に示す水位Ｗ６よりも低い水位Ｗ７まで低下する一方、内側制御筒部材６４の貯水部８６内の水位が上方貯水領域Ａ１と下方貯水領域Ａ２との境界面Ｐ１を通過して大洗浄用フロート部材６８の自重Ｇと浮力Ｆとの釣り合い位置に相当する貯水部８６内の水位ｗｎに達すると、貯水部８６内の洗浄水の水位が下降して境界面Ｐ１を通過する前後で貯水部８６内の貯水量が急激に減少し、内側制御筒部材６４の貯水部８６の下方貯水領域Ａ２内の水位の低下速度ｖ２が、図１５及び図１６に示す内側制御筒部材６４の貯水部８６の上方貯水領域Ａ１内の水位ｗ１の低下速度ｖ１よりも早まるようになっている。
また、大洗浄用フロート部材６８においては、貯水部８６内の水位が、図１５及び図１６に示す内側制御筒部材６４の貯水部８６の上方貯水領域Ａ１内の水位ｗ１から低下し、貯水部８６内の大洗浄用フロート部材６８の自重Ｇと浮力Ｆとの釣り合い位置に相当する貯水部８６の下方貯水領域Ａ２の水位ｗｎに達すると、洗浄水による浮力Ｆが大洗浄用フロート部材６８の自重Ｇを下回り、大洗浄用フロート部材６８が、主軸部材６２の係合突起６２ｃとの係合を解除する方向（図１７及び図１８の下方）に回動し、大洗浄用フロート部材６８の係合凹部６８ｄと主軸部材６２の係合突起６２ｃとの係合が解除され、主軸部材６２及び弁体５２の下降動作（閉弁動作）が開始されるようになっている。
【００５３】
つぎに、図１９及び図２０に示すように、排水弁装置２４の大洗浄モードにおける排水終了時の状態では、内側制御筒部材６４の流量調整用の開口６４ａから貯水タンク１８内へ流出に伴って、内側制御筒部材６４の貯水部８６の下方貯水領域Ａ２内の水位が下降して大洗浄用フロート部材６８の浮力がなくなるようになっている。また、貯水タンク１８内における外側制御筒部材７６の外部の水位は、図１７及び図１８に示す水位Ｗ７よりも低く且つ図９に示す小洗浄モード時の死水水位Ｗ４（ＤＷＬ）よりも低い水位Ｗ８まで低下し、この水位Ｗ８が死水水位（ＤＷＬ）となり、弁体５２が弁座５０に当接し、排水口２０が閉止されるようになっている。
【００５４】
なお、内側制御筒部材６４の貯水部８６の貯水領域Ａの水位の低下速度については、図１１に示すように、遮蔽部材６６を周方向Ｒにずらし、内側制御筒部材６４の開口６４ａと遮蔽部材６６の連通口６６ｃとの連通面積Ｓ３を調整して小さく設定する程、外側制御筒部材７６の外部の水位の低下速度との速度差が大きくなり、主軸部材６２及び弁体５２の下降動作（閉弁動作）が開始するタイミングが遅延され、排水終了時の貯水タンク１８内の死水水位（ＤＷＬ）が低くなり、大洗浄モード時に貯水タンク１８から便器本体２に供給される洗浄水の総量が多く設定されるようになっている。
【００５５】
つぎに、図１〜図２０を参照して、本発明の一実施形態による排水弁装置、この排水弁装置を備えた洗浄水タンク装置、及び、この洗浄水タンク装置を備えた水洗大便器の動作（作用）を説明する。
まず、図１〜図６、図８及び図９により、本発明の一実施形態による排水弁装置を備えた洗浄水タンク装置により実行される２種類の洗浄モードのうちの小洗浄モードについて説明する。
図５に示すように、排水弁装置２４の小洗浄モードにおける排水開始前の状態では、弁体５２が弁座５０に当接して排水口２０が閉止され、貯水タンク１８内の水位が満水時の止水水位Ｗｆとなり、外側制御筒部材７６の外側に貯水されている貯水タンク１８内の洗浄水がスリット穴７６ｂを経て外側制御筒部材７６の内部に流入し、大洗浄用フロート部材６８及び小洗浄用フロート部材７０が水没している。
また、カム部材７２の係合凹部７２ｂは主軸部材６２の係合突起６２ｂよりも上方に位置し、両者７２ｂ，６２ｂが係合していない状態となり、大洗浄用フロート部材６８の係合凹部６８ｄも主軸部材６２の係合突起６２ｃよりも上方に位置しており、両者６８ｄ，６２ｃが係合していない状態となる。
【００５６】
つぎに、図２及び図６に示すように、排水弁装置２４の小洗浄モードにおける開弁時の状態では、使用者が操作レバー８４（図２参照）を所定の小洗浄モードを実行する方向に回動操作すると、ワイヤ巻取り装置８２が作動し、操作ワイヤ７８が大洗浄モードの場合の最大巻き取り量よりも少ない巻き取り量で巻き取られ、排水弁ユニット４０の主軸部材６２及び弁体保持部材６０がそれぞれの最高高さ位置よりも低い所定の高さ位置まで引き上げられ、排水口２０が開放される。このとき、弁座５０に対する弁体５２の上昇高さ（ストローク）Ｈが、大洗浄モードの最大ストロークＨ２よりも低いＨ１となり、洗浄水タンク装置１６の排水弁装置２４による水洗大便器１の便器本体２への小洗浄モードの排水が開始される。
【００５７】
また、図６に示すように、排水弁装置２４の小洗浄モードにおける開弁時の状態では、外側制御筒部材７６の外側に貯水されている貯水タンク１８内の洗浄水と外側制御筒部材７６の内部の洗浄水が、外側制御筒部材７６のスリット穴７６ｂ及び排水口形成部材４２の連通口５８によって連通しているため、貯水タンク１８内の水位と外側制御筒部材７６の内部の水位が共に満水時の止水水位Ｗｆよりも低い水位Ｗ１となり、大洗浄用フロート部材６８及び小洗浄用フロート部材７０が水没している。
また、支持部材７４は小洗浄用フロート部材７０の浮力により上昇し、弁体５２と共に主軸部材６２とその係合突起６２ｂについてもストロークＨ１で上昇しているため、カム部材７２の係合凹部７２ｂが主軸部材６２の係合突起６２ｂと係合している状態となり、主軸部材６２及び弁体５２の下降動作（閉弁動作）が拘束された状態となる。
一方、大洗浄用フロート部材６８の係合凹部６８ｄは、主軸部材６２の係合突起６２ｃよりも上方に位置しており、両者６８ｄ，６２ｃが係合していない状態となる。
【００５８】
つぎに、図８に示すように、排水弁装置２４の小洗浄モードにおける排水途中の状態では、排水口２０から便器本体２への排水に伴って、貯水タンク１８内の水位と外側制御筒部材７６の内部の水位が、図６に示す水位Ｗ１よりも低い水位Ｗ３まで低下するため、この水位の低下に連動して小洗浄用フロート部材７０の浮力が減少し、小洗浄用フロート部材７０と支持部材７４が下降する。
また、支持部材７４が下降すると、これに連動してカム部材７２が、その係合凹部７２ｂと主軸部材６２の係合突起６２ｂとの係合を解除する方向（図８の上方）に向ってヒンジ部７２ａを中心に回動する。
さらに、カム部材７２の係合凹部７２ｂと主軸部材６２の係合突起６２ｂとの係合が解除されると、主軸部材６２及び弁体５２が水位の低下と共に下降し、排水弁装置２４の小洗浄モードにおける閉弁動作が開始される。このとき、大洗浄用フロート部材６８の係合凹部６８ｄは、主軸部材６２の係合突起６２ｃよりも上方に位置しており、両者６８ｄ，６２ｃが係合していない状態となるため、主軸部材６２及び弁体５２の下降による閉弁動作が妨げられることはない。
【００５９】
つぎに、図８において主軸部材６２及び弁体５２が水位の低下と共にさらに下降すると、図９に示すように、弁体５２が弁座５０に当接し、排水口２０が閉止され、排水弁装置２４の小洗浄モードにおける排水が終了する。
また、排水終了時の状態では、貯水タンク１８内の水位と外側制御筒部材７６の内部の水位が、図８に示す水位Ｗ３よりも低い水位Ｗ４まで低下し、死水水位（ＤＷＬ）となる。この小洗浄モード時の死水水位Ｗ４（ＤＷＬ）は、図２０に示す大洗浄モード時の死水水位Ｗ８（ＤＷＬ）よりも高くなる。
【００６０】
つぎに、図１〜図５、図７及び図１０〜図２０により、本発明の一実施形態による排水弁装置を備えた洗浄水タンク装置により実行される大洗浄モードについて説明する。
まず、図５に示されるような大洗浄モードにおける排水が開始される前の状態の排水弁装置２４においては、上述した図５に示されている小洗浄モードの場合と同様であるため、説明は省略する。
【００６１】
つぎに、図７に示すように、排水弁装置２４の大洗浄モードにおける開弁時の状態では、使用者が操作レバー８４（図２参照）を所定の大洗浄モードを実行する方向に回動操作すると、ワイヤ巻取り装置８２が作動し、操作ワイヤ７８が所定の最大量の巻き取り量で巻き取られ、排水弁ユニット４０の主軸部材６２及び弁体保持部材６０がそれぞれの最高高さ位置まで引き上げられる。このとき、弁座５０に対する弁体５２の上昇高さ（ストローク）Ｈが小洗浄モード時の引き上げ高さＨ１よりも高い最大高さ（最大ストローク）Ｈ２となり（Ｈ２＞Ｈ１）、洗浄水タンク装置１６の排水弁装置２４による水洗大便器１の便器本体２への大洗浄モードの排水が開始される。
【００６２】
また、図７に示すように、排水弁装置２４の大洗浄モードにおける開弁時の状態では、弁体５２が弁座５０に対して最大ストロークＨ２で上昇して排水口２０が開放されており、貯水タンク１８内の水位が満水時の止水水位Ｗｆよりも低い水位Ｗ２となり、外側制御筒部材７６の外側に貯水されている貯水タンク１８内の洗浄水と外側制御筒部材７６の内部の洗浄水が、外側制御筒部材７６のスリット穴７６ｂ及び排水口形成部材４２の連通口５８によって連通しているため、大洗浄用フロート部材６８は水没しているが、小洗浄用フロート部材７０とカム部材７２のそれぞれの上方部分は水位Ｗ２よりも上方に表出している。
また、弁体５２と共に主軸部材６２とその係合突起６２ｂについても最大ストロークＨ２で上昇しているため、カム部材７２の係合凹部７２ｂが主軸部材６２の係合突起６２ｂの下方に位置し、両者７２ｂ，６２ｂが係合していない状態となる。
一方、大洗浄用フロート部材６８の係合凹部６８ｄは、主軸部材６２の係合突起６２ｃと係合している状態となり、主軸部材６２及び弁体５２の下降動作（閉弁動作）が拘束された状態となる。
【００６３】
つぎに、図１３及び図１４に示すように、排水弁装置２４の大洗浄モードにおける排水途中の第１の状態では、排水口２０から便器本体２への排水に伴って、貯水タンク１８内の水位と外側制御筒部材７６の内部の水位が、図７に示す水位Ｗ２よりも低い水位Ｗ５まで低下し、この水位の低下に連動して小洗浄用フロート部材７０の浮力が減少し、小洗浄用フロート部材７０と支持部材７４が下降する。
また、支持部材７４が下降すると、これに連動してカム部材７２が、その係合凹部７２ｂと主軸部材６２の係合突起６２ｂとの係合を解除する方向（図１３及び図１４の上方）に向ってヒンジ部７２ａを中心に回動する。
【００６４】
一方、図１３及び図１４に示すように、大洗浄用フロート部材６８においては、水位Ｗ５が、貯水部８６内の大洗浄用フロート部材６８の自重Ｇと浮力Ｆとの釣り合い位置に相当する貯水部８６内の水位ｗｎよりも上方に位置しており、洗浄水による浮力Ｆが大洗浄用フロート部材６８の自重Ｇを上回り、大洗浄用フロート部材６８の係合凹部６８ｄが、主軸部材６２の係合突起６２ｃと係合している状態となり、主軸部材６２及び弁体５２の下降動作（閉弁動作）が拘束された状態となるため、排水弁装置２４の大洗浄モードにおける閉弁動作が開始されることはない。
【００６５】
つぎに、図１５及び図１６に示すように、排水弁装置２４の大洗浄モードにおける排水途中の第２の状態では、排水口２０から便器本体２への排水に伴って、貯水タンク１８内における外側制御筒部材７６の外部の水位が、図１３及び図１４に示す水位Ｗ５よりも低い水位Ｗ６まで低下する一方、内側制御筒部材６４の貯水部８６内の水位については、遮蔽部材６６の連通口６６ｃと重なる内側筒部材６４の流調調整用の開口６４ａの大きさ（連通面積Ｓ３）が排水口形成部材４２の連通口５８や排水口２０の大きさ（開口面積）よりも小さくなるため、内側制御筒部材６４の貯水部８６内の水位ｗ１の低下速度ｖ１が、貯水タンク１８内における外側制御筒部材７６の外部の水位Ｗ６の低下速度Ｖ１よりも遅くなる。
また、大洗浄用フロート部材６８においては、内側制御筒部材６４の貯水部８６内の水位ｗ１が、貯水部８６内の大洗浄用フロート部材６８の自重Ｇと浮力Ｆとの釣り合い位置に相当する貯水部８６内の水位ｗｎよりも上方に位置しており、洗浄水による浮力Ｆが大洗浄用フロート部材６８の自重Ｇを上回り、大洗浄用フロート部材６８の係合凹部６８ｄが、主軸部材６２の係合突起６２ｃと係合している状態となり、主軸部材６２及び弁体５２の下降動作（閉弁動作）が依然拘束された状態となる。
【００６６】
つぎに、図１７及び図１８に示すように、排水弁装置２４の大洗浄モードにおける排水途中の第３の状態では、排水口２０から便器本体２への排水に伴って、貯水タンク１８内における外側制御筒部材７６の外部の水位が、図１５及び図１６に示す水位Ｗ６よりも低い水位Ｗ７まで低下する一方、内側制御筒部材６４の貯水部８６内の水位が上方貯水領域Ａ１と下方貯水領域Ａ２との境界面Ｐ１を通過して大洗浄用フロート部材６８の自重Ｇと浮力Ｆとの釣り合い位置に相当する貯水部８６内の水位ｗｎに達するまでに、貯水部８６内の洗浄水の水位が下降して境界面Ｐ１を通過する前後で貯水部８６内の貯水量が急激に減少し、内側制御筒部材６４の貯水部８６の下方貯水領域Ａ２内の水位の低下速度ｖ２が、図１５及び図１６に示す内側制御筒部材６４の貯水部８６の上方貯水領域Ａ１内の水位ｗ１の低下速度ｖ１よりも早まる。
【００６７】
また、図１７及び図１８に示すように、大洗浄用フロート部材６８においては、貯水部８６内の水位が、図１５及び図１６に示す内側制御筒部材６４の貯水部８６の上方貯水領域Ａ１内の水位ｗ１から低下し、貯水部８６内の大洗浄用フロート部材６８の自重Ｇと浮力Ｆとの釣り合い位置に相当する貯水部８６の下方貯水領域Ａ２の水位ｗｎに達すると、洗浄水による浮力Ｆが大洗浄用フロート部材６８の自重Ｇを下回り（Ｆ＜Ｇ）、大洗浄用フロート部材６８が、主軸部材６２の係合突起６２ｃとの係合を解除する方向（図１７及び図１８の下方）に回動し、大洗浄用フロート部材６８の係合凹部６８ｄと主軸部材６２の係合突起６２ｃとの係合が解除され、主軸部材６２及び弁体５２の下降動作（閉弁動作）が開始される。
【００６８】
さらに、図１７及び図１８に示すように、内側制御筒部材６４の貯水部８６の貯水領域Ａに貯水されている洗浄水は、内側制御筒部材６４の流量調整用の開口６４ａから、これと連通する遮蔽部材６６の連通口６６ｃを経て、外側制御筒部材７６の開口７６ｃから排水弁装置２４の外部の貯水タンク１８内へ流出する。
また、主軸部材６２及び弁体５２の下降動作（閉弁動作）が開始するタイミングを遅延させて、排水終了時の貯水タンク１８内の死水水位（ＤＷＬ）を低く設定し、大洗浄モード時に貯水タンク１８から便器本体２に供給される洗浄水の総量を多く設定したい場合には、遮蔽部材６６を周方向Ｒにずらし、内側制御筒部材６４の開口６４ａと遮蔽部材６６の連通口６６ｃとの連通面積Ｓ３を小さく設定し、外側制御筒部材７６の外部の水位の低下速度と内側制御筒部材６４の貯水部８６の貯水領域Ａの水位の低下速度との速度差を大きく設定する。
一方、排水終了時の貯水タンク１８内の死水水位（ＤＷＬ）を高く設定し、大洗浄モード時に貯水タンク１８から便器本体２に供給される洗浄水の総量を少なく設定したい場合には、遮蔽部材６６を周方向Ｌにずらし、内側制御筒部材６４の開口６４ａと遮蔽部材６６の連通口６６ｃとの連通面積Ｓ３を大きく設定し、外側制御筒部材７６の外部の水位の低下速度と内側制御筒部材６４の貯水部８６の貯水領域Ａの水位の低下速度との速度差を小さく設定する。
【００６９】
つぎに、図１９及び図２０に示すように、排水弁装置２４の大洗浄モードにおける排水終了時の状態では、内側制御筒部材６４の流量調整用の開口６４ａから貯水タンク１８内へ流出に伴って、内側制御筒部材６４の貯水部８６の下方貯水領域Ａ２内の水位が下降して大洗浄用フロート部材６８の浮力がなくなる。
また、貯水タンク１８内における外側制御筒部材７６の外部の水位は、図１７及び図１８に示す水位Ｗ７よりも低く且つ図９に示す小洗浄モード時の死水水位Ｗ４（ＤＷＬ）よりも低い水位Ｗ８まで低下し、この水位Ｗ８が死水水位（ＤＷＬ）となり、弁体５２が弁座５０に当接し、排水口２０が閉止される。
【００７０】
上述した本発明の第１実施形態による排水弁装置２４によれば、内側制御筒部材６４の貯水部８６内の底面８８の一部を底上げするように形成された段部９０が内側制御筒部材６４の貯水部８６の貯水領域Ａを急激に減少させるための貯水領域減少手段として機能するため、弁体５２が排水口２０を開放した後、内側制御筒部材６４の貯水部８６内の水位ｗが下降し、内側制御筒部材６４の貯水部８６内の水位が、貯水部８６内の段部９０の底上げ面９０ｂと同一の平面である上方貯水領域Ａ１と下方貯水領域Ａ２との境界面Ｐ１を通過して大洗浄用フロート部材６８の自重Ｇと浮力Ｆとの釣り合い位置に相当する貯水部８６内の水位ｗｎに達するまでに、貯水部８６内の洗浄水の水位が下降して境界面Ｐ１を通過する前後で貯水部８６内の貯水量が急激に減少し、内側制御筒部材６４の貯水部８６の下方貯水領域Ａ２内の水位の低下速度ｖ２が、図１５及び図１６に示す内側制御筒部材６４の貯水部８６の上方貯水領域Ａ１内の水位ｗ１の低下速度ｖ１よりも早められる。したがって、洗浄水による浮力Ｆが大洗浄用フロート部材６８の自重Ｇを下回り、大洗浄用フロート部材６８が主軸部材６２の係合突起６２ｃとの係合を解除する方向（図１７及び図１８の下方）に滑らかに回動するため、大洗浄用フロート部材６８の係合凹部６８ｄと主軸部材６２の係合突起６２ｃとの係合を滑らかに解除することができ、主軸部材６２及び弁体５２の下降動作（閉弁動作）を滑らかに開始することができる。これらの結果、洗浄水タンク装置１６の貯水タンク１８の排水口２０から水洗大便器１の便器本体２に供給される洗浄水量の総量がばらつくことを防ぐことができる。
【００７１】
さらに、本実施形態による排水弁装置２４によれば、内側制御筒部材６４の貯水部８６に形成された流量調整用の開口６４ａが貯水部８６の側周壁部６４ｂの下方位置にほぼ周方向にスリット状に延びるように形成されているため、遮蔽部材６６の取付位置を変更して内側制御筒部材６４の流量調整用の開口６４ａと遮蔽部材６６の連通口６６ｃとの連通面積Ｓ３を調整する際に、遮蔽部材６６の連通口６６ｃを内側制御筒部材６４の流量調整用の開口６４ａに対して水平方向にずらすことにより、内側制御筒部材６４の流量調整用の開口６４ａから遮蔽部材６６の連通口６６ｃを通過するときの上下方向の水圧のばらつきの影響を抑えることができ、内側制御筒部材６４の流量調整用の開口６４ａから流出させる洗浄水量のばらつきを抑えることができる。これらの結果、洗浄水タンク装置１６の貯水タンク１８の排水口２０から水洗大便器１の便器本体２に供給される洗浄水量の総量がばらつくことを防ぐことができる。
【符号の説明】
【００７２】
１      水洗大便器
２      便器本体
４      ボウル部
６      トラップ管路
６ａ    排水トラップ管路の入口
８      リム
１０      第１吐水口
１２      溜水部
１４      第２吐水口
１６      洗浄水タンク装置
１８      貯水タンク
１８ａ    貯水タンクの底面
２０      排水口
２２      給水装置
２４      排水弁装置
２６      給水管
２８      給水バルブ
３０      フロート
３２      吐水口
３４      リフィール管
３６      オーバーフロー管
３８      排水口ユニット
４０      排水弁ユニット
４２      排水口形成部材
４４      シール部材
４６      締結部材
４８      オーバーフロー管取付部
５０      弁座
５２      弁体
５４      排水口形成部材の上端部
５６      支柱部
５８      連通口
６０      弁体保持部材
６２      主軸部材
６２ａ    主軸部材の上端部
６２ｂ    主軸部材の係合突起
６２ｃ    主軸部材の係合突起
６４      内側制御筒部材
６４ａ    流量調整用の開口
６４ｂ    側周壁部
６４ｃ    主軸部材のガイド穴
６４ｄ    支持部材用取付穴
６４ｅ    ヒンジ結合孔
６４ｆ    突起
６６      遮蔽部材
６６ａ    壁部
６６ｂ    嵌合凹部
６６ｃ    連通口
６８      大洗浄用フロート部材
６８ａ    フロート本体部
６８ｂ    アーム部
６８ｃ    ヒンジ突起部
６８ｄ    係合凹部
７０      小洗浄用フロート部材
７２      カム部材
７２ａ    カム部材のヒンジ部
７２ｂ    カム部材の係合凹部
７４      支持部材
７６      外側制御筒部材
７６ａ    外側制御筒部材の側周面
７６ｂ    スリット穴
７６ｃ    開口
７８      操作ワイヤ
８０      ガイド部材
８０ａ    ガイド孔
８０ｂ    支持部材用取付穴
８２      ワイヤ巻取り装置
８４      操作レバー
８６      内側制御筒部材の貯水部
８８      内側制御筒部材の貯水部の底面
９０      内側制御筒部材の貯水部の段部（貯水領域減少手段）
９０ａ    内側制御筒部材の貯水部の内壁面
９０ｂ    内側制御筒部材の貯水部の底上げ面
９２      内側制御筒部材の貯水部の内壁面
９４      内側制御筒部材の貯水部の中央側内壁面
９６      内側制御筒部材の貯水部の外側内壁面
９８      内側制御筒部材の貯水部の中間内壁面
１００      内側制御筒部材の貯水部の内側周壁面
【図１】
0005811342.tif 000002
【図２】
0005811342.tif 000003
【図３】
0005811342.tif 000004
【図４】
0005811342.tif 000005
【図５】
0005811342.tif 000006
【図６】
0005811342.tif 000007
【図７】
0005811342.tif 000008
【図８】
0005811342.tif 000009
【図９】
0005811342.tif 000010
【図１０】
0005811342.tif 000011
【図１１】
0005811342.tif 000012
【図１２】
0005811342.tif 000013
【図１３】
0005811342.tif 000014
【図１４】
0005811342.tif 000015
【図１５】
0005811342.tif 000016
【図１６】
0005811342.tif 000017
【図１７】
0005811342.tif 000018
【図１８】
0005811342.tif 000019
【図１９】
0005811342.tif 000020
【図２０】
0005811342.tif 000021